(57)【要約】【課題】  使い勝手のよい卓上カレンダーを形成しうるカレンダー用紙を提供する。【課題の解決手段】  カレンダー用紙１は、シート基材２の一面に透視可能なフィルム又はニスからなる補強層を設け、この補強層に対応して暦情報７ａ，７ｂ，７ｃ，７ｄを印刷したカレンダー部５ａ，５ｂ，５ｃ，５ｄを設けるとともに、これらカレンダー部５ａ，５ｂ，５ｃ，５ｄを補強層とともに分離可能に構成し、分離したカレンダー部５ａ，５ｂ，５ｃ，５ｄを卓上カレンダーとして使用するものである。【選択図】    図１
2005305850.tif 000002
【特許請求の範囲】
【請求項１】
筆記性を有するシート基材の一面に透視可能なフィルム又はニスからなる補強層を設け、この補強層に対応してカレンダー部を設け、このカレンダー部は、一面には暦情報を有して補強層とともに分離可能に構成したことを特徴とするカレンダー用紙。
【請求項２】
筆記性を有するシート基材に、暦情報を表示するとともに、暦情報を覆うように透視可能なフィルム又はニスからなる補強層を設ける一方、この補強層に対応位置した組み立て部を前記補強層とともに分離可能に設け、この組み立て部は、互いの境界側に折り部を有するとともに、前記境界側の反対側には互いを係止する係止部を有する一対のカレンダー部からなることを特徴とするカレンダー用紙。
【発明の詳細な説明】
【技術分野】
【０００１】
本発明は、カレンダー用紙に関し、特に、卓上カレンダーとしての使用に適したカレンダー部を有するカレンダー用紙に関する。
【背景技術】
【０００２】
従来、卓上カレンダーとしての使用に適したカレンダー部を有するカレンダー用紙は、カレンダー用紙自体を卓上カレンダーとして使用し、その一部を剥離することでカレンダー部を月毎に露出するよう構成したものが知られている。
【特許文献１】特許第３２７２４９７号公報
【発明の開示】
【発明が解決しようとする課題】
【０００３】
しかしながらこの従来例によると、カレンダー部の面積が狭いものにならざるをえないので、カレンダーとしては曜日や日付けの文字が小さくなって見にくいという不都合があった。本発明は、この不都合を解消したカレンダー用紙を提供することを目的とする。
【課題を解決するための手段】
【０００４】
この目的を達成するため、本発明の請求項１に係るカレンダー用紙は、筆記性を有するシート基材の一面に透視可能なフィルム又はニスからなる補強層を設け、この補強層に対応してカレンダー部を設け、このカレンダー部は、一面に暦情報を有して補強層とともに分離可能に構成したものである。
【０００５】
同じく上記目的を達成するため、本発明の請求項２に係るカレンダー用紙は、筆記性を有するシート基材に、暦情報を表示するとともに、暦情報を覆うように透視可能なフィルム又はニスからなる補強層を設ける一方、この補強層に対応位置した組み立て部を前記補強層とともに分離可能に設け、この組み立て部は、互いの境界側に折り部を有するとともに、前記境界側の反対側には互いを係止する係止部を有する一対のカレンダー部からなるものである。
【発明の効果】
【０００６】
本発明の請求項１に係るカレンダー用紙によれば、分離したカレンダー部を卓上カレンダーとして使用するので、曜日や日付の文字等を見やすい大きさに設定でき、また、カレンダー部はフィルム又はニスからなる補強層でその一面を被覆したので、汚れに強く耐久性にも優れるという効果を奏する。また、本発明の請求項２に係るカレンダー用紙によれば、前記効果に加えて、暦情報を補強層によって被覆保護できるほか、組み立てて立体的な卓上カレンダーとして使用できるという効果を奏する。
【発明を実施するための最良の形態】
【０００７】
以下、本発明の好適な実施形態を添付図面に基づいて説明する。ここにおいて、図１は第１実施形態を示す概略的な平面図、図２はそのＡ−Ａ線断面図、図３はその使用状態を示す斜視図、図４は第２実施形態を示す概略的な断面図、図５は第３実施形態を示す概略的な平面図、図６はそのＢ−Ｂ線断面図、図７は第４実施形態を示す概略的な断面図、図８は第５実施形態を示す概略的な平面図、図９はその使用状態を示す斜視図である。
【０００８】
まず、第１実施形態について説明すると、図１及び図２に示すように、カレンダー用紙１は、紙製のシート基材２の裏面に、四周縁を除いた部分に透明樹脂フィルム３を貼着して補強層としている。前記シート基材２には、スリット４で１月から４月に対応する４つのカレンダー部５ａ，５ｂ，５ｃ，５ｄを区画形成し、前記透明樹脂フィルム３には、前記各スリット４に対応して、ブリッジ部が短く切断が容易なミシン目６を設けている。
【０００９】
図１に示すように、シート基材２の表面には、各カレンダー部５ａ，５ｂ，５ｃ，５ｄに、それぞれ対応する月の曜日と日付である暦情報７ａ，７ｂ，７ｃ，７ｄを印刷し、また、カレンダー用紙１の提供者である生命保険会社名を印刷するとともに、担当者名を印字し、提供者情報８ａ，８ｂ，８ｃ，８ｄとしている。また、カレンダー部５ａの上には、「卓上カレンダー」なる表題９を印刷し、カレンダー部５ｄの下には、前記担当者名とその連絡先を示す、担当者連絡先情報１０を印字している。なお、印字部分は当初印字されておらず、各担当者にカレンダー用紙１が配布された後、各担当者が自己に関する情報を日常業務で使用しているパソコンのプリンタを用いて印字するものである。
【００１０】
続いて、以上のように構成した本実施形態に係るカレンダー用紙１の使用方法を説明する。生命保険会社の担当者が図１状態のカレンダー用紙１を、カレンダーケース２０（図３参照）とともに顧客に配布する。このカレンダー用紙１を受け取った顧客は、スリット４及びミシン目６でカレンダー部５ａ，５ｂ，５ｃ，５ｄを分離し、図３に示すように、カレンダーケース２０に収納して、卓上カレンダーとして使用するものである。なお、図示していないが、基材シート２の裏面に、カレンダー用紙１の使用方法や、生命保険会社の広告文等をあらかじめ印刷しておいてもよく、これらの情報は透明樹脂フィルム３を透して視認可能になる。
【００１１】
図４は基材シートと透明樹脂フィルムの貼着に関する別の実施形態を示すもので、カレンダー用紙１１は、紙製のシート基材１２の裏面に、四周縁を除いた部分に透明樹脂フィルム１３を粘着剤１４で貼着して補強層とし、さらに、前記透明樹脂フィルム１３に対して樹脂フィルム１５を、疑似接着層１６を介して剥離可能に疑似接着している。そして、前記シート基材１２には、前記疑似接着層１６に達するスリット１７で１月から４月に対応する４つのカレンダー部１８ａ，１８ｂ（２つのみ図示）を区画形成している。
【００１２】
本実施形態においては、各カレンダー部１８ａ，１８ｂを捲り上げると、各フィルム１３，１５間の疑似接着層１６で剥離し、前記各カレンダー部１８ａ，１８ｂは前記透明樹脂フィルム１３とともに分離することができる。この分離した前記各カレンダー部１８ａ，１８ｂは、上述した第１実施形態の各カレンダー部５ａ，５ｂ，５ｃ，５ｄと同様に使用することができる（図３参照）。
【００１３】
上述した各実施形態にあっては、各シート基材２，１２の裏面に透明樹脂フィルム３，１３を設けたので、前記各シート基材２，１２の表面には、各カレンダー用紙１，１１を顧客に提供する前に、あるいは顧客が各カレンダー用紙１，１１の提供を受けた後に、所望の情報を印字あるいは手書き記入できる。
【００１４】
次に、第３実施形態について図５及び図６に基づいて説明する。図５及び図６に示すように、カレンダー用紙２１は、紙製のシート基材２２の表面に、四周縁を除いた部分に透明樹脂フィルム２３を貼着して補強層としている。前記シート基材２２には、スリット２４で１月から４月に対応する４つのカレンダー部２５ａ，２５ｂ，２５ｃ，２５ｄを区画形成し、前記透明樹脂フィルム２３には、前記各スリット２４に対応して、ブリッジ部が短く切断が容易なミシン目２６を設けている。
【００１５】
図５に示すように、シート基材２２の表面には、各カレンダー部２５ａ，２５ｂ，２５ｃ，２５ｄに、それぞれ対応する月の曜日と日付である暦情報２７ａ，２７ｂ，２７ｃ，２７ｄを印刷し、また、カレンダー用紙２１の提供者である生命保険会社名を印刷した提供者情報２８ａ，２８ｂ，２８ｃ，２８ｄを設けている。また、カレンダー部２５ａの上には、「卓上カレンダー」なる表題２９を印刷し、カレンダー部２５ｄの下には、前記担当者名とその連絡先を示す、担当者連絡先情報３０を印字している。なお、この担当者連絡先情報３０は当初印字されておらず、各担当者にカレンダー用紙２１が配布された後、各担当者が自己に関する情報を日常業務で使用しているパソコンのプリンタを用いて印字するものである。
【００１６】
以上のように構成した本実施形態に係るカレンダー用紙２１の使用方法は、上述した第１の実施形態と同様であり、生命保険会社の担当者が図５状態のカレンダー用紙２１を、カレンダーケース（図示せず）とともに顧客に配布し、このカレンダー用紙２１を受け取った顧客は、スリット２４及びミシン目２６でカレンダー部２５ａ，２５ｂ，２５ｃ，２５ｄを分離し、カレンダーケースに収納して、卓上カレンダーとして使用するものである（図３参照）。なお、図示していないが、基材シート２２の裏面に、カレンダー用紙２１の使用方法や、生命保険会社の広告文等を印刷してもよい。
【００１７】
図７はさらに他の実施形態を示し、カレンダー用紙３１は、紙製のシート基材３２の表面に、所定情報を印刷した後、下端部分を除いて透明なニスを塗布してなるニス塗布層３３を設けて補強層としたものである。前記シート基材３２及び前記ニス塗布層３３には、ブリッジ部が短く切断が容易なミシン目３４によって、１月から４月に対応する４つのカレンダー部３５ａ，３５ｂ（２つのみ図示）を区画形成している。また、図示してはいないが、前記ニス塗布層３３を設けていないシート基材３２表面の下端部分には、上述した第３実施形態と同様に、生命保険会社の担当者名とその連絡先を示す、担当者連絡先情報を印字している。なお、この担当者連絡先情報は当初印字されておらず、各担当者にカレンダー用紙３１が配布された後、各担当者が自己に関する情報を日常業務で使用しているパソコンのプリンタを用いて印字するものである。
【００１８】
本実施形態においては、各ミシン目３４を破断して、各カレンダー部３５ａ，３５ｂを分離し、この分離した前記各カレンダー部３５ａ，３５ｂは、上述した第１実施形態の各カレンダー部５ａ，５ｂ，５ｃ，５ｄと同様に使用することができる（図３参照）。
【００１９】
上述の図５、図６及び図７に示す実施形態にあっては、各カレンダー部２５ａ，２５ｂ，２５ｃ，２５ｄ，３５ａ，３５ｂ，３５ｃ，３５ｄの表面に透明樹脂樹脂フィルム２３あるいはニス塗布層３３を設けたので、暦情報２７ａ，２７ｂ，２７ｃ，２７ｄを表示した表面が保護されるとともに、光沢があって見栄えがよいものとなる。
【００２０】
図８及び図９はさらにまた別の実施形態を示すものである。図８に示すように、カレンダー用紙４１は、基材シート４２の表面に透明樹脂フィルム４３を貼着して補強層とし、前記透明樹脂フィルム４３に対応位置して一対のカレンダー部４７，４８からなる組み立て部４６を、ミシン目４４で区画形成して前記透明樹脂フィルム４３とともに分離可能としている。
【００２１】
一対のカレンダー部４７，４８は、恐竜の側面形状を象ったもので、互いの境界側の頭部には折り部たる折り用ミシン目４５を有し、境界側と反対側の脚部側には互いを係止する係止部４７ａ，４８ａを折り用ミシン目５０，５１を境に設けている。一方の係止部４７ａには２つの係止孔５２，５２を設け、他方の係止部４８ａには前記各係止孔５２，５２にそれぞれ挿入係止するための係止片５３，５３を設けている。
【００２２】
なお、図８において、５４，５５は各カレンダー部４７，４８に印刷した暦情報、５６は表題、５７はカレンダー用紙４１の入手方法を説明する案内文、５８はカレンダー用紙４１の提供者である生命保険会社とその担当者の連絡先を示す担当者連絡先情報である。そして、前記暦情報５４，５５は透明樹脂フィルム４３により被覆保護されている。
【００２３】
本実施形態は以上のような構成なので、カレンダー用紙４１から組み立て部４６である一対のカレンダー部４７，４８を分離し、暦情報５４，５５が表出するように折り用ミシン目４５で二つ折りし、各係止部４７ａ，４８ａも各折り用ミシン目５０，５１で互いに折り重ね、各係止片５３，５３を各係止孔５２，５２に挿入係止して、図９に示すように組み立て、卓上カレンダーとして使用することができる。
【００２４】
なお、本発明は上述の各実施形態に限定されるものではなく、例えば、各カレンダー部３５ａ，３５ｂ，４７，４８以外の各カレンダー部５ａ，５ｂ，５ｃ，５ｄ，１８ａ，１８ｂ，２５ａ，２５ｂ，２５ｃ，２５ｄを分離するための構成も、スリットを用いずに、ミシン目のみで構成してもよい。 
【図面の簡単な説明】
【００２５】
【図１】第１実施形態を示す概略的な平面図。
【図２】図１のＡ−Ａ線断面図。
【図３】同実施形態の使用状態を示す斜視図。
【図４】第２実施形態を示す概略的な断面図。
【図５】第３実施形態を示す概略的な平面図。
【図６】図５のＢ−Ｂ線断面図。
【図７】第４実施形態を示す概略的な断面図。
【図８】第５実施形態を示す概略的な平面図。
【図９】同実施形態の使用状態を示す斜視図。
【符号の説明】
【００２６】
１，１１，２１，３１，４１      カレンダー用紙
２，２１，２２，３２，４２      シート基材
３，１３，２３，４３      透明樹脂フィルム
４，１７，２４      スリット
５ａ，５ｂ，５ｃ，５ｄ，１８ａ，１８ｂ，２５ａ，２５ｂ，２５ｃ，２５ｄ，３５ａ，３５ｂ，４７，４８      カレンダー部
６，２６，３４，４４      ミシン目
７ａ，７ｂ，７ｃ，７ｄ，２７ａ，２７ｂ，２７ｃ，２７ｄ，５４，５５      暦情報
８ａ，８ｂ，８ｃ，８ｄ，２８ａ，２８ｂ，２８ｃ，２８ｄ      提供者情報
１０，３０，５８      担当者連絡先情報
４５      折り用ミシン目
４６      組み立て部
４７，４８      カレンダー部
４７ａ，４８ａ      係止部
【図１】
2005305850.tif 000003
【図２】
2005305850.tif 000004
【図３】
2005305850.tif 000005
【図４】
2005305850.tif 000006
【図５】
2005305850.tif 000007
【図６】
2005305850.tif 000008
【図７】
2005305850.tif 000009
【図８】
2005305850.tif 000010
【図９】
2005305850.tif 000011